(57)【要約】【課題】簡単な改造で物品の出し入れ誤動作を効果的に防止する。【解決手段】複数が並設された収納部のうち、収納指示ランプ２２により指示された収納部８に対して物品を搬入または搬出する際に、搬入動作または搬出動作の完了を入力する物品収納部用入力装置であって、ピッキングカート１の収納部８前面の開口面７の上部にそれぞれスイッチ本体をそれぞれ配置するとともに、スイッチ本体を作動させる引き紐２３ｂを開口面７に及ぶように吊り下げて配置した。視覚的な認識が向上され、搬入または搬出との連続動作で操作できる。【選択図】        図１
2004224508.tif 000002
【特許請求の範囲】
【請求項１】
複数が並設された収納部のうち、表示手段により指示された収納部に対して物品を搬入または搬出する際に、搬入動作または搬出動作の完了を入力する物品収納部用入力装置であって、
前記収納部前面の開口面の上部に操作部本体をそれぞれ配置するとともに、前記操作部本体を作動させる作動紐部材を操作部本体から開口面に及ぶように吊り下げて配置した
ことを特徴とする物品収納部用入力装置。
【請求項２】
複数が並設された収納部のうち、表示手段により指示された収納部に対して物品を搬入または搬出する際に、搬入動作または搬出動作の完了を入力する物品収納部用入力装置であって、
前記収納部前面の上部から開口面に吊り下げられた押し釦式操作部をそれぞれ設けた
ことを特徴とする物品収納部用入力装置。
【請求項３】
収納部に少なくとも開口面側が開放された収納容器をそれぞれ配置し、
作動用紐部材または押し釦式操作部が、平面視で収納容器の占有空間内に位置された
ことを特徴とする請求項１または２記載の物品収納部用入力装置。
【請求項４】
収納部に少なくとも開口面側が開放された収納容器をそれぞれ配置し、
作動用紐部材の先端部または押し釦式操作部が、正面視で収納容器の占有空間に及ぶように設定された
ことを特徴とする請求項１乃至３のいずれかに記載の物品収納部用入力装置。
【請求項５】
収納部は、所定の棚の格納部から物品を取り出す物品取り出し用移動台車に設けられた
ことを特徴とする請求項１乃至４のいずれかに記載の物品収納部用入力装置。
【請求項６】
作動用紐部材または押し釦式操作部は、開口面の幅方向の中心位置から左右に位置ずれして配置された
ことを特徴とする請求項１乃至５のいずれかに記載の物品収納部用入力装置。
【請求項７】
作動用紐部材または押し釦式操作部は、作業者に応じて、収納部の開口面の幅方向の中心位置から左右に位置ずれして吊り下げ位置を変更可能に構成された
ことを特徴とする請求項１乃至６のいずれかに記載の物品収納部用入力装置。
【発明の詳細な説明】
【０００１】
【発明の属する技術分野】
本発明は、棚やピッキングカートなど複数個並設された物品の収納部において、指定された種類および個数の物品を収納部に搬入したり、収納部から搬出したりする作業が完了したことを入力するための物品収納部用入力装置に関する。
【０００２】
【従来の技術】
たとえば特許文献１に示された物品収納設備では、図１０に示すように、ピッキングカート（物品取り出し用移動台車）１に、収納棚５２に複数の容器５３を搭載するとともに、容器５３下部の収納棚フレームに数量表示部５４と照光式の収納完了釦５５とをそれぞれ配置したものである。上記従来構成では、ピッキングカート５１に搭載されたコントローラにより、ＩＣカードのピッキング情報が読み込まれると、収納棚５２の数量表示釦５４が表示されるとともに収納完了釦５５が点灯される。これにより、作業者は、棚から所定個数の物品を取り出して、ピッキングカートの所定の容器５３に搬入し、搬入作業後に収納完了釦５５を押す。これにより収納完了釦５５が消灯されて搬入作業の完了が確認され、次の作業に移るように構成される。
【０００３】
【特許文献１】
特開昭６４−１７７０４号公報（第３図）
【０００４】
【発明が解決しようとする課題】
しかしながら、作業者が疲れてくると、特に点灯された収納完了釦５５に上下に隣接する場合、上部の容器５３に搬入するのを間違えて、下部の容器５３に物品を投入し、そのまま点灯中の収納完了釦５５を押してピッキングを終える誤投入動作が発生しやすい。この誤動作はピッキング作業の最終の検品作業で発見されることになる。
【０００５】
このような錯誤の対策として、収納完了釦に収納部を示す矢印を表示する［特許第２９３０１０８号（図４）］ものも提案されているが、これでも誤投入動作は解消されていない。また収納部にセンサなどを設置して指定以外の収納部に物品を投入されたことが検出されると、警告音を発するなどの装置を付加することも考えられているが、センサを取り付けるための改造も大掛かりとなり、コストも嵩むという問題がある。
【０００６】
本発明は、上記問題点を解決して、簡単な改造で物品の出し入れ誤動作を効果的に防止できる物品収納部用入力装置を提供することを目的とする。
【０００７】
【課題を解決するための手段】
上記目的を達成するために請求項１記載の発明は、複数が並設された収納部のうち、表示手段により指示された収納部に対して物品を搬入または搬出する際に、搬入動作または搬出動作の完了を入力する物品収納部用入力装置であって、前記収納部前面の開口面の上部にそれぞれ操作部本体を配置するとともに、前記操作部本体を作動させる作動紐部材を操作部本体から開口面に及ぶように吊り下げて配置したものである。
【０００８】
上記構成によれば、操作部本体を作動させる作動紐部材を、指示された収納部の開口面に及ぶように吊り下げて配置したので、搬入出動作中に作動紐部材が視覚的に常に認識され、搬入出動作に連続して、指示された収納部の作動紐部材を引き操作部本体を容易かつ確実に作動させることができる。ところで、誤認して他の収納部の作動紐部材を引いても、指示された収納部の作業が完了されたという信号が入力されないので、表示手段は表示されたままとなったり、または点滅などの警告表示や警告ブザーが作動されることで、その場で物品を間違った収納部に対して搬入または搬出したことが認識される。これにより、指示された収納部に正確に物品を搬入または搬出することができる。
【０００９】
請求項２記載の発明は、複数が並設された収納部のうち、表示手段により指示された収納部に対して物品を搬入または搬出する際に、搬入動作または搬出動作の完了を入力する物品収納部用入力装置であって、前記収納部前面の上部から開口面に吊り下げられた押し釦式操作部をそれぞれ設けたものである。
【００１０】
上記構成によれば、押し釦式操作部を、指示された収納部の開口面に及ぶように吊り下げて配置したので、搬入出動作中に押し釦式操作部が視覚的に認識され、搬入出動作に連続して、指示された収納部の押し釦を押し容易かつ確実に作動させることができる。ところで、誤認して他の収納部の押し釦を押しても、指示された収納部の作業が完了されたという信号が入力されないので、表示手段は表示されたままとなったり、または点滅などの警告表示や警告ブザーが作動されることで、その場で物品を間違った収納部に対して搬入または搬出したことが認識される。これにより、指示された収納部に正確に物品を搬入または搬出することができる。
【００１１】
請求項３記載の発明は、収納部に少なくとも開口面側が開放された収納容器をそれぞれ配置し、作動用紐部材または押し釦式操作部が、平面視で収納容器内に位置されたものである。
【００１２】
上記構成によれば、作動用紐部材または押し釦式操作部を、平面視で収納容器内に位置させることにより、物品の搬入出動作時に、作動用紐部材または押し釦式操作部が接触や風圧で揺れて、視覚で確実に認識することができ、搬入出動作完了の入力操作をスムーズに行うことができる。
【００１３】
請求項４記載の発明は、収納部に少なくとも開口面側が開放された収納容器をそれぞれ配置し、作動用紐部材の先端部または押し釦式操作部が、正面視で収納容器の占有空間に及ぶように設定されたものである。
【００１４】
上記構成によれば、作動用紐部材の先端部または押し釦式操作部が、開口面の正面視で収納容器の開放面に及ぶように設定されたので、物品の搬入出動作時に、作動用紐部材または押し釦式操作部が接触や風圧で揺れて、視覚で確実に認識することができ、搬入出動作の完了の入力操作をスムーズに行うことができる。
【００１５】
請求項５記載の発明は、収納部は、所定の棚の格納部から物品を取り出す物品取り出し用移動台車に設けられたものである。
上記構成によれば、棚の格納部から物品を取り出して物品取り出し用移動台車の収納部に搬入する搬入動作完了の入力操作をスムーズに行うことができる。
【００１６】
請求項６記載の発明は、作動用紐部材または押し釦式操作部は、開口面の幅方向の中心位置から左右に位置ずれして配置されたものである。
上記構成によれば、作動用紐部材または押し釦式操作部は、開口面の幅方向の中心位置から左右に位置ずれさせることにより、左右一方の手に接近させることができ、動作完了の入力操作をよりスムーズに行うことができる。
【００１７】
請求項７記載の発明は、作動用紐部材または押し釦式操作部は、作業者に応じて、収納部の開口面の幅方向の中心位置から左右に位置ずれして吊り下げ位置を変更可能に構成されたものである。
【００１８】
上記構成によれば、作業者の利き手に対応して、作動用紐部材または押し釦式操作部を位置ずれさせることにより、動作完了の入力操作をさらにスムーズに行うことができ、作業性を高めることができる。
【００１９】
【発明の実施の形態】
ここで、本発明に係る物品収納部用入力装置を具備したピッキングカートの実施の形態を図１〜図７に基づいて説明する。
【００２０】
このピッキングカート（物品取り出し用移動台車）は、棚に面する通路を移動して棚に収納された所定の物品を所定個数ピックアップする手押し式台車である。
【００２１】
すなわち、図１〜図３に示すように、このピッキングカート１は、走行機台２の底部に複数（図では６個）のキャスタ輪３を有し、走行機台２の四隅位置に立設された支柱４，５に棚板６が上下複数段（図では３段）に支持されている。そして走行機台２上と最上端を除く棚板６上とに、左右側面が開口面７に形成された複数（６×２個）の収納部８が形成され、左右両側の収納部８，８にわたって収納容器９が出し入れ自在に配置されている。
【００２２】
また後部支柱５には、記載台１１を介して手押しハンドル１２が取り付けられ、また記載台１１上で後部支柱５に取り付けられた支持棚１３に、棚設備のホストコントローラから必要なデータが送受信される送受信機（またはＩＣカードからピッキングデータを読取可能なカードリーダ）や、読み取った指示データを表示する表示部などを具備した台車側コントローラ１４が配置され、また入力用のテンキー１５と、物品のバーコート（識別部）を読み取るバーコードリーダ（識別部読取装置）１６が設けられている。
【００２３】
前記収納容器９は、図７に示すように、矩形箱体状で、上面が開放された上面開放部（開放面）９ａと、左右側面から前後面の一部にわたって切り欠かれた出し入れ開放部（開放面）９ｂ，９ｂとで物品が出し入れ自在に構成され、さらに中央部に立設された仕切板９ｃにより左右の収納室に区画されている。ここで、収納容器９を含む直方体空間を占有空間９’という。
【００２４】
前記各収納部８の開口面７の上部には、図５に示すように、棚板６の側縁フレーム６ａに、投入する物品の個数を表示する個数表示部２１と、点灯または点滅されて投入する収納部８を示す収納指示ランプ（表示手段）２２と、本発明に係る作業完了スイッチ２３が設けられている。なお、個数表示部２１および収納指示ランプ２２は、開口面７の上部に限るものではなく、下部や前後側部の周辺部であってもよい。また個数表示部２１および収納指示ランプ２２は削除して、台車側コントローラ１４の表示部（表示手段）で表示することもできる。
【００２５】
前記作業完了スイッチ２３の第１例は、図５に示すプルスイッチにより構成されている。この作業完了スイッチ２３は、スイッチ本体（操作部本体）２３ａが側面フレーム６ａ内に取り付けられ、前記スイッチ本体２３ａを作動させる引き紐（作動紐部材）２３ｂが各収納部８の開口面７、好ましくは収納容器９の出し入れ開放部９ｂ（占有空間９’）内に及ぶように吊り下げられている。すなわち、引き紐２３ｂは、平面視で収納容器７と重なる位置に配置され、かつ先端部が収納容器７の出し入れ開放部９ｂ（占有空間９’）に及ぶように長さが設定されている。またこの引き紐２３ｂは、開口面７の中央位置に配置してもよいが、より操作性を高めるために、開口面７に面して中央位置の左方（または右方）に位置ずれして手で掴み易い位置に配置されている。
【００２６】
さらに好ましくは、作業者の利き手に近い方がよいため、図５に仮想線で示すように、開口面７に対して左右両側にスイッチ本体２３ａを配置しておき、引き紐２３ｂを付け替えられるように構成することもできる。
【００２７】
したがって、収納部８に物品を投入した時に、引き紐２３ｂの先端部が物品に接触したり風圧により揺れることから、収納指示ランプ２２に指示された収納部８の引き紐２３ｂが視覚的に認識され、投入後に収納容器８内から引く時の連続動作で手で引き紐２３ｂを掴み引っ張ることで、作業完了スイッチ２３をオンすることができる。これにより収納指示ランプ２２の点灯または点滅が停止される。
【００２８】
第２例の作業完了スイッチ２４は、図６に示すように、プッシュスイッチにより構成されている。すなわち、側面フレーム６ａに取り付けられたコネクタ２４ｄからガイド部材６ｂを介して吊り下げられた接続コード２４ａの先端部に、押し釦２４ｃを有するスイッチ本体（押し釦式操作部）２４ｂが取り付けられている。そしてこのスイッチ本体２４ｂが各収納部８の開口面７、好ましくは収納容器９の出し入れ開放部９ｂ内（専用空間９’）に及ぶように吊り下げられる。すなわち、スイッチ本体２４ｂは、平面視で収納容器７と重なる位置に配置され、かつ先端部が収納容器７の出し入れ開放部９ｂ（専用空間９’）に及ぶように長さが設定されている。またこのスイッチ本体２４ｂは、開口面７の中央部に配置してもよいが、より操作性を高めるために、開口面７に面して中央位置の左方（または右方）に位置ずれして手で掴み易い位置に配置されている。
【００２９】
さらに好ましくは、作業者の利き手に近い方がよいため、図６に仮想線で示すように、接続コード２４ａの吊り下げ位置を開口面７の左右位置に変位可能に構成しておき、作業者の利き手に対応してスイッチ本体２４ｂの吊り下げ位置を左側または右側に変更するようにしてもよい。
【００３０】
したがって、収納部８に物品を投入した時に、スイッチ本体２４ｂが物品に接触したり風圧により揺れることから、収納指示ランプ２２に指示された収納部８のスイッチ本体２４ｂが視覚的に認識され、投入後に収納容器８内から引く時の連続動作で手でスイッチ本体２４ｂを掴んで押し釦２４ｃを押すことで、作業完了スイッチ２３をオンすることができる。これにより収納指示ランプ２２の点灯または点滅が停止される。
【００３１】
ところで、錯誤により異なる収納部８に投入した場合、その開口面７に垂れ下がった引き紐２３ｂを引っ張るか、またはスイッチ本体２４ｂの押し釦２４ｃを押しても、収納指示ランプ２２の点灯または点滅が停止されることがないので、その場で錯誤に気が付き、適正な収納部８に投入し直すことができる。
【００３２】
上記構成において、図４に示すように、このピッキングカート１を用いて物品をピッキングする場合、棚設備のホストコントローラからピックアップ情報が送受信機を介して台車側コントローラ１４に受信されるとともに、棚Ｒ側のコントローラ（図示せず）にピックアップ情報が受信される。そしてピッキングカート１を通路に沿って移動させると、近傍の棚Ｒの格納部Ｃに指定された物品がある場合、この格納部Ｃの棚側表示部Ｌが点灯されて必要個数が表示される。（なお、棚側に表示部がない場合もある。この場合には、ピッキングカート１の台車側コントローラ１４の表示部により作業を行う。）一方、ピッキングカート１では、その物品を仕分けする全部または一部の収納部８の収納指示ランプ２２が点灯（点滅）表示されるとともに、個数表示部２１が表示される。
【００３３】
ピッキング操作方法の一例を説明すると、（１）棚の収納部８から指定数量の物品を取り出して、たとえばピッキングカート１の最上段の棚板６上に仮置きする。（２）取り出したすべての物品をバーコードリーダ１６によりスキャンして検品する（または代表物品を検品し、数量を入力する）。（３）ピッキングカート１では、検品入力信号に基づいて、物品を収納する収納部８の収納指示ランプ２２および個数表示部２１が順次または全部の点灯表示され、指定された個数の物品を収納部８に投入する。（４）各収納部８ごとに、指定物品の投入完了後、収納部８の開口面７（出し入れ開放部９ｂ）に垂れ下がった引き紐２３ｂを引くか、または押し釦２４ｃを押すことで、作業完了スイッチ２３または２４がオンされ、収納部８の個数指示部２１の表示と収納表示ランプ２２とが消去、消灯されてピッキングが完了される。
【００３４】
なお、ここで指定された収納部８と異なる収納部８の作業完了スイッチ２３または２４をオンしても、表示された個数指示部２１および収納表示ランプ２２が消去、消灯されないことから、作業者に収納部８を錯誤したことに気付かせるように構成されている。さらに、指示されていない収納部８の作業完了スイッチ２３または２４をオンした場合に、警告ランプを点灯、点滅させたり、警告ブザーから警告音を発信させる誤認警告手段を設けてもよい。
【００３５】
上記実施の形態の第１例のプルスイッチによれば、引き紐２３ｂを、収納表示ランプ２２により指示された収納部８の開口面７でかつ収納容器９の出し入れ開放部９ｂに及ぶように吊り下げて配置したので、物品の搬入時に、接触または風圧で引き紐２３ｂが揺れて、収納指示ランプ２２により支持された収納部８の引き紐２３ｂが接触または風圧で揺れて、視覚的にその位置が確実に認識され、物品を収納容器８に搬入した動作後からの連続動作で引き紐２３ｂを引き、スイッチ本体２３ａを確実かつスムーズにオンすることができる。また錯誤により別の収納部８の引き紐２３ａを引いても、点灯された収納指示ランプ２２が消灯することがなかったり、または警告ランプが点灯または警告ブザーが鳴ることにより、その場で収納部８を誤認したと気が付くので、物品を正確な収納部８に再搬入することができる。
【００３６】
また第２例のプッシュスイッチも同様に、スイッチ本体２４ｂを、収納表示ランプ２２により指示された収納部８の開口面７でかつ収納容器９の出し入れ開放部９ｂに及ぶように吊り下げて配置したので、物品の搬入時に、接触または風圧でスイッチ本体２４ｂを揺らせてその位置を目視することができ、物品を収納容器８に搬入した後の動作に連続して手でスイッチ本体２４ｂの押し釦２４ｃを押して、確実かつスムーズにオンすることができる。また錯誤により別の収納部８のスイッチ本体２４ｂの押し釦２４ｃを押しても、点灯された収納指示ランプ２２が消灯することがなかったり、または警告ランプが点灯または警告ブザーが鳴ることにより、その場で収納部８を誤認したと気が付くので、物品を正確な収納部８に再搬入することができる。
【００３７】
また、引き紐２３ｂまたはスイッチ本体２４ｂを収納容器９の出し入れ開放部９ｂに及ぶように吊り下げたので、作業者が視覚的に容易にその位置を確認することができ、操作性が向上される。
【００３８】
さらに引き紐２３ｂまたはスイッチ本体２４ｂを、開口面７の幅方向の中心位置から左右に位置ずれさせることにより、作業する左右一方の手に接近させることができ、動作完了の入力操作をよりスムーズに行うことができる。
【００３９】
第１の実施の形態では、物品を搬入する収納部８に設けた物品収納部用入力装置を示したが、第２の実施の形態は、物品を搬出する棚の収納部に設けた物品収納部用入力装置で、第１の実施の形態と同一部材には同一符号を付して説明を省略する。
【００４０】
図８，図９に示すように、ピッキングされる物品が収納される仕分け棚３１は、開口面３３側ほど下位となるように傾斜された複数の区画収納空間（収納部）３２が設けられ、自重で物品を開口面３３側に送るローラコンベヤ３４がそれぞれ配置されている。そして各区画収納空間３２の開口面３３には、下部にストッパ３５が設けられると共に、上部に投入する物品の個数を表示する個数表示部２１と、点灯または点滅されて投入する収納部８を示す収納指示ランプ（収納部指示手段）２２と、プルスイッチからなる本発明に係る作業完了スイッチ２３が設けられ、その引き紐は２３は開口面３３に及んでいる。
【００４１】
上記実施の形態において、図示しないコントローラからの出庫指令に基づいて、所定の区画収納空間３２の個数表示部２１が表示されるとともに、区画収納空間３２を示す収納指示ランプ２２が点灯または点滅されると、作業員が指定個数の物品を搬出コンベヤ３６に搬出する。そして最後の物品の搬出前に、作業完了スイッチ２３の引き紐２３ｂが引かれ、最後の物品の搬出が搬出される。
【００４２】
第２の実施の形態において、第２例のプッシュスイッチ式の作業完了スイッチ３４を設けてもよい。
上記実施の形態によれば、第１の実施の形態と同様の作用効果を奏することができる。
【００４３】
なお、上記実施の形態では、目的の収納部８または区画収納部３２の収納指示ランプ２２を点灯または点滅させたが、個数表示部２１および収納指示ランプ２２は削除し、台車側コントローラ１４の表示部で表示することもできる。
【００４４】
【発明の効果】
以上に述べたごとく請求項１記載の発明によれば、操作部本体を作動させる作動紐部材を、指示された収納部の開口面に及ぶように吊り下げて配置したので、搬入出動作中に作動紐部材が視覚的に常に認識され、搬入出動作に連続して、指示された収納部の作動紐部材を引き操作部本体を容易かつ確実に作動させることができる。ところで、誤認して他の収納部の作動紐部材を引いても、指示された収納部の作業が完了されたという信号が入力されないので、表示手段は表示されたままとなったり、または点滅などの警告表示や警告ブザーが作動されることで、その場で物品を間違った収納部に対して搬入または搬出したことが認識される。これにより、指示された収納部に正確に物品を搬入または搬出することができる。
【００４５】
請求項２記載の発明によれば、押し釦式操作部を、指示された収納部の開口面に及ぶように吊り下げて配置したので、搬入出動作中に押し釦式操作部が視覚的に認識され、搬入出動作に連続して、指示された収納部の押し釦を押し容易かつ確実に作動させることができる。ところで、誤認して他の収納部の押し釦を押しても、指示された収納部の作業が完了されたという信号が入力されないので、表示手段は表示されたままとなったり、または点滅などの警告表示や警告ブザーが作動されることで、その場で物品を間違った収納部に対して搬入または搬出したことが認識される。これにより、指示された収納部に正確に物品を搬入または搬出することができる。
【００４６】
請求項３記載の発明によれば、作動用紐部材または押し釦式操作部を、平面視で収納容器内に位置させることにより、物品の搬入出動作時に、作動用紐部材または押し釦式操作部が接触や風圧で揺れて、視覚で確実に認識することができ、搬入出動作完了の入力操作をスムーズに行うことができる。
【００４７】
請求項４記載の発明によれば、作動用紐部材の先端部または押し釦式操作部が、開口面の正面視で収納容器の開放面に及ぶように設定されたので、物品の搬入出動作時に、作動用紐部材または押し釦式操作部が接触や風圧で揺れて、視覚で確実に認識することができ、搬入出動作の完了の入力操作をスムーズに行うことができる。
【００４８】
請求項５記載の発明によれば、棚の格納部から物品を取り出して物品取り出し用移動台車の収納部に搬入する搬入動作完了の入力操作をスムーズに行うことができる。
【００４９】
請求項６記載の発明によれば、作動用紐部材または押し釦式操作部は、開口面の幅方向の中心位置から左右に位置ずれさせることにより、左右一方の手に接近させることができ、動作完了の入力操作をよりスムーズに行うことができる。
【００５０】
請求項７記載の発明によれば、作業者の利き手に対応して、作動用紐部材または押し釦式操作部を位置ずれさせることにより、動作完了の入力操作をさらにスムーズに行うことができ、作業性を高めることができる。
【図面の簡単な説明】
【図１】本発明に係る物品収納部用入力装置の第１の実施の形態を示し、ピッキングカートを示す側面図である。
【図２】同ピッキングカートの平面図である。
【図３】同ピッキングカートの背面図である。
【図４】同ピッキングカートの使用状態を示す説明図である。
【図５】（ａ）〜（ｃ）はそれぞれ同ピッキングカートの入力装置の第１例を示し、（ａ）は拡大平面図、（ｂ）は拡大正面図、（ｃ）は拡大側面断面図である。
【図６】（ａ）〜（ｃ）はそれぞれ同ピッキングカートの入力装置の第２例を示し、（ａ）は拡大平面図、（ｂ）は拡大正面図、（ｃ）は拡大側面断面図である。
【図７】同ピッキングカートの収納部を示す斜視図である。
【図８】本発明に係る物品収納部用入力装置の第２の実施の形態を示し、仕分け棚を示す正面図である。
【図９】同仕分け棚を示す側面図である。
【図１０】従来のピッキングカートを示す側面図である。
【符号の説明】
１    ピッキングカート
７    開口面
８    収納部
９    収納容器
９’  占有空間
１２    手押しハンドル
１４    台車側コントローラ
Ｒ    棚
Ｃ    格納部
Ｌ    棚側表示部
２１    個数表示部
２２    収納指示ランプ
２３，２４    作業完了スイッチ
２３ａ  スイッチ本体
２３ｂ  引き紐
２４ａ  接続コード
２４ｂ  スイッチ本体
２４ｃ  押し釦
３１    仕分け棚
３２    区画収納空間
３３    開口面
【図１】
2004224508.tif 000003
【図２】
2004224508.tif 000004
【図３】
2004224508.tif 000005
【図４】
2004224508.tif 000006
【図５】
2004224508.tif 000007
【図６】
2004224508.tif 000008
【図７】
2004224508.tif 000009
【図８】
2004224508.tif 000010
【図９】
2004224508.tif 000011
【図１０】
2004224508.tif 000012